(57)【要約】【課題】  撮像により得られた画像データの光量補正に有利な補正データを提供すること。【解決手段】  レンズ装置により形成された像における光量の分布に関して、当該像から得られた画像データを補正するための補正量を表す補正データは、レンズ装置の状態に対応する、像高ｈに関してｎ次の式（ｎは、非負の整数）における係数を含む。当該係数は、像高ｈでの光量の、像高ｈの変化量ｄｈあたりの変化量をｄＤｌｅｎｓ（ｈ）とし、像高ｈでのｎ次の式の逆数の、変化量ｄｈあたりの変化量をｄＤ´（ｈ）として、第１条件式  −０．１５≦ｄＤ´（ｈ）−ｄＤｌｅｎｓ（ｈ）≦１．９８を満足するｎ次式の係数を含む。【選択図】  図１
2020096327.tif 000002
【特許請求の範囲】
【請求項１】
レンズ装置により形成された像における光量の分布に関して、前記像から得られた画像データの補正を行うための補正量を表す補正データであって、
前記補正データは、前記レンズ装置の状態に対応する、像高ｈに関してｎ次の式（ｎは、非負の整数）における係数を含み、
前記係数は、像高ｈでの前記光量の、像高ｈの増加量ｄｈあたりの変化量をｄＤｌｅｎｓ（ｈ）とし、像高ｈでの前記ｎ次の式の逆数の、増加量ｄｈあたりの変化量をｄＤ´（ｈ）として、第１条件式
−０．１５≦ｄＤ´（ｈ）−ｄＤｌｅｎｓ（ｈ）≦１．９８
を満足する前記ｎ次式の係数を含むことを特徴とする補正データ。
【請求項２】
前記レンズ装置は、広角端での開放ＦナンバーをＦｗとし、望遠端での開放ＦナンバーをＦｔとし、望遠端での焦点距離をｆｔとし、ｆｄ＝Ｆｗ／Ｆｔ×ｆｔで表される焦点距離ｆｄでの開放ＦナンバーをＦｄとして、条件式
１．１０＜Ｆｔ／Ｆｄ＜４．００
−０．０１＜（Ｆｄ−Ｆｗ）／Ｌｏｇ（ｆｄ／ｆｗ）＜１．２０
を満足することを特徴とする請求項１に記載の補正データ。
【請求項３】
前記第１条件式を満足する像高ｈは、最大像高をＹとして、
０．１０×Ｙ≦ｈ≦０．８０×Ｙ
を満足することを特徴とする請求項１または請求項２に記載の補正データ。
【請求項４】
前記補正データは、像高ゼロと像高ｈｎとの間の前記像の周辺光量比の傾きをｄＤｌｅｎｓ＿０ｎとし、像高ｈｎと最大像高Ｙとの間の前記像の周辺光量比の傾きをｄＤｌｅｎｓ＿ｎＹとして、条件式
０．１０≦｜ｄＤｌｅｎｓ＿０ｎ−ｄＤｌｅｎｓ＿ｎＹ｜
を満足する前記レンズ装置の状態での補正データであることを特徴とする請求項１ないし請求項３のうちいずれか１項に記載の補正データ。
【請求項５】
前記像高ｈｎは、
０．１０×Ｙ≦ｈｎ≦０．８０×Ｙ
を満足することを特徴とする請求項４に記載の補正データ。
【請求項６】
像高ゼロから前記像高ｈｎまでの各像高での、前記像の周辺光量比と、前記ｎ次の式で表される前記補正量との積の平均をＡｖｅ＿０ｎとし、前記像高ｈｎから最大像高Ｙまでの各像高での、前記像の周辺光量比と、前記ｎ次の式で表される前記補正量との積の平均をＡｖｅ＿ｎＹとして、条件式
Ａｖｅ＿ｎＹ／Ａｖｅ＿０ｎ≦０．９５
を満足することを特徴とする請求項１ないし請求項４のうちいずれか１項に記載の補正データ。
【請求項７】
前記像高ｈｎは、条件式
０．７０×Ｙ≦ｈｎ＜１．００×Ｙ
を満足することを特徴とする請求項４または請求項６に記載の補正データ。
【請求項８】
前記係数は、前記ｎ次の式としての４次の式
Ｄ＝Ａ４×ｈ４＋Ａ３×ｈ３＋Ａ２×ｈ２＋Ａ１×ｈ＋Ａ０
における係数Ａ０、係数Ａ１、係数Ａ２、係数Ａ３、および係数Ａ４を含むことを特徴とする請求項１ないし請求項７のうちいずれか１項に記載の補正データ。
【請求項９】
前記係数Ａ３および係数Ａ４は、条件式
−０．１０＜Ａ３＋１０×Ａ４＜０．１０
を満足することを特徴とする請求項８に記載の補正データ。
【請求項１０】
前記係数Ａ３および係数Ａ４は、条件式
｜Ａ４｜≦０．００２０
｜Ａ３｜≦０．０１５０
を満足することを特徴とする請求項８または請求項９に記載の補正データ。
【請求項１１】
像高ゼロから像高ｈｎまでの各像高ｈでの、前記像の周辺光量比と、前記ｎ次の式で表される前記補正量との積の、像高ｈでの２次微分の値をｄｄＡｖｅとし、前記ｎ次の式の０次の項の係数をＡ０として、条件式
｜ｄｄＡｖｅ／Ａ０｜≦０．５０
を満足することを特徴とする請求項１ないし請求項１０のうちいずれか１項に記載の補正データ。
【請求項１２】
前記レンズ装置は、フォーカスレンズ群と、開口絞りと、開口絞りより像側のレンズ群とを有し、前記フォーカスレンズ群と、前記開口絞りと、前記像側のレンズ群とは、ズーミングのためには移動しないことを特徴とする請求項１ないし請求項１１のうちいずれか１項に記載の補正データ。
【請求項１３】
前記レンズ装置は、開口絞りを有し、広角端での焦点距離をｆｗとし、焦点距離ｆｗに関する前記ｎ次の式における０次の項の係数Ａ０をＡ０（ｆｗ）とし、焦点距離ｆｔに関する前記係数Ａ０をＡ０（ｆｔ）とし、焦点距離ｆｄに関する前記係数Ａ０をＡ０（ｆｄ）として、前記開口絞りの開放状態において、条件式
１．２１＜Ａ０（ｆｔ）／Ａ０（ｆｄ）＜１６．００
−０．０１＜（Ａ０（ｆｄ）−Ａ０（ｆｗ））／Ｌｏｇ（ｆｄ／ｆｗ）＜０．５０
を満足することを特徴とする請求項２に記載の補正データ。
【請求項１４】
前記レンズ装置は、光路に対する挿抜が可能なエクステンダーレンズ群と、前記挿抜の状態を検出する検出部と、を有することを特徴とする請求項１ないし請求項１３のうちいずれか１項に記載の補正データ。
【請求項１５】
像を形成するレンズ装置であって、
請求項１ないし請求項１４のうちいずれか１項に記載の補正データを有することを特徴とするレンズ装置。
【請求項１６】
前記ｎ次の式における項の係数を調整するためのユーザー・インターフェース部を有することを特徴とする請求項１５に記載のレンズ装置。
【請求項１７】
請求項１５または請求項１６に記載のレンズ装置と、
前記レンズ装置の像面に配された撮像素子と、
を有することを特徴とする撮像装置。
【請求項１８】
レンズ装置により形成された像における光量の分布に関して、前記像から得られた画像データを補正する処理装置であって、
請求項１ないし請求項１４のうちいずれか１項に記載の補正データを有することを特徴とする処理装置。
【請求項１９】
請求項１８に記載の処理装置を有することを特徴とするカメラ装置。
【請求項２０】
請求項１ないし請求項１４のうちいずれか１項に記載の補正データを生成する工程と、
像を形成するレンズ装置の記憶部に、前記工程で生成された前記補正データを記憶させる工程と、
含むことを特徴とするレンズ装置の製造方法。
【請求項２１】
前記生成する工程は、前記レンズ装置の補正前の周辺光量比または補正後の周辺光量比の、像高による変化に基づいて、前記補正量による前記補正の目標の像高ごとの重み又は値の変更を行い、該変更により得られた前記重み又は前記値に基づいて、前記補正データを生成することを特徴とする請求項２０に記載の製造方法。
【請求項２２】
請求項１ないし請求項１４のうちいずれか１項に記載の補正データを生成する工程と、
レンズ装置により形成された像における光量の分布に関して、前記像から得られた画像データを補正する処理装置の記憶部に、前記工程で生成された前記補正データを記憶させる工程と、
含むことを特徴とする処理装置の製造方法。
【請求項２３】
前記生成する工程は、前記レンズ装置の補正前の周辺光量比または補正後の周辺光量比の、像高による変化に基づいて、前記補正量による前記補正の目標の像高ごとの重み又は値の変更を行い、該変更により得られた前記重み又は前記値に基づいて、前記補正データを生成することを特徴とする請求項２２に記載の製造方法。
【発明の詳細な説明】
【技術分野】
【０００１】
本発明は、レンズ装置、撮像装置、処理装置、およびカメラ装置に関する。
【背景技術】
【０００２】
放送用カメラ（テレビカメラ）・映画用カメラ・写真用カメラ・ビデオカメラ等は、像面の中心部の光量に対して周辺部の光量が低くなるものが多い。中心部の光量に対する周辺部の光量の比率（周辺光量比）は、ズーミングやフォーカシング、絞りの操作等の、光学系に対する操作に伴って変化する。
【０００３】
当該比率の変化は、中心部の光量の変化、周辺部の光量の変化、またはそれら双方によって生じる。主な原因は、前述のような光学系に対する操作に伴って、軸上光束や軸外光束の一部がレンズ、開口絞り、他の光学部材、または機構部材等を通過できないことである。これは、光学系の操作に伴って変化する軸上光束・軸外光束の経路の全てを包含するようにレンズ等の部材の有効径を大きくすることにより改善されるものの、それは、レンズ装置の小型軽量化には逆行する。また、球面収差・像面湾曲等の収差も大きくなって、その補正も困難となる。このため、光量の低下を光学的に補正するのではなく、画像処理により補正する方法が知られている。ここで、レンズ装置により形成された像における光量分布に関して、カメラ装置での撮像により得られた画像データを補正することを光量（分布）補正または光量（分布）補償ともいうものとする。
【０００４】
特許文献１は、倍率色収差および周辺光量低下の補正に関する情報（補正データ）を有し、カメラ装置からの指令に基づいて、カメラ装置に当該情報を送信するレンズ装置を開示している。特許文献２は、周辺減光特性の補正の処理を高速化するために、像高に関する２次、３次または４次式を補正式として用いる方法を開示している。
【先行技術文献】
【特許文献】
【０００５】
【特許文献１】特開２００８−９６９０７号公報
【特許文献２】特開平１１−１６４１９４号公報
【発明の概要】
【発明が解決しようとする課題】
【０００６】
各像高の補正量を比較的低次のｎ次多項式で表す場合、データ量を少なくできる利点があるものの、像高による変化が急峻な補正量を近似する場合の誤差の点では不利となりうる。例えば、４次多項式で補正量を近似する場合、像高の変化につれて補正量がうねると、補正後の画像データが円環状のムラを呈して違和感を与えうる。本発明は、例えば、撮像により得られた画像データの光量補正に有利な補正データを提供することを目的とする。
【課題を解決するための手段】
【０００７】
本発明の一つの側面は、レンズ装置により形成された像における光量の分布に関して、前記像から得られた画像データを補正するための補正量を表す補正データであって、
前記補正データは、前記レンズ装置の状態に対応する、像高ｈに関してｎ次の式（ｎは、非負の整数）における係数を含み、
前記係数は、像高ｈでの前記光量の、像高ｈの変化量ｄｈあたりの変化量をｄＤｌｅｎｓ（ｈ）とし、像高ｈでの前記ｎ次の式の逆数の、変化量ｄｈあたりの変化量をｄＤ´（ｈ）として、第１条件式
−０．１５≦ｄＤ´（ｈ）−ｄＤｌｅｎｓ（ｈ）≦１．９８
を満足する前記ｎ次式の係数を含むことを特徴とする補正データである。
【発明の効果】
【０００８】
本発明によれば、例えば、撮像により得られた画像データの光量補正に有利な補正データを提供することができる。
【図面の簡単な説明】
【０００９】
【図１】実施形態１に係る撮像装置の構成例を示す図
【図２】焦点距離（対数）とＦナンバーとの間の関係を例示する図
【図３】実施形態１に係る処理の流れを例示する図
【図４】レンズ装置の光学系を例示する図
【図５】補正前後の光量分布を例示する図
【図６】実施形態２に係る撮像装置の構成例を示す図
【図７】実施形態２に係る処理の流れを例示する図
【図８】実施形態３に係る撮像装置の構成例を示す図
【図９】実施形態３に係る処理の流れを例示する図
【図１０】実施形態４に係る製造方法の流れを例示する図
【図１１】実施形態５に係る製造方法の流れを例示する図
【図１２】解決すべき課題を説明するための図
【図１３】像高０での光量に対する各像高での光量の比を示す図
【発明を実施するための形態】
【００１０】
以下、添付図面を参照して本発明の実施形態を説明する。なお、実施形態を説明するための全図を通して、原則として（断りのない限り）、同一の部材等には同一の符号を付し、その繰り返しの説明は省略する。
【００１１】
〔実施形態１〕
図１は、実施形態１に係る撮像装置の構成例を示す図である。撮像装置は、レンズ装置１００がカメラ装置２００に着脱可能に装着されて構成されている。１０１は、合焦（フォーカシング）のために移動するフォーカスレンズ群である。フォーカスレンズ群は、そのサブユニットが合焦のために移動する、いわゆるインナーフォーカスまたはフローティングフォーカスの機能を有していてもよい。１０２は、ズーミングのために移動するズームレンズ群である。ズームレンズ群は、ズームのために移動するサブレンズ群を３つ以上有していてもよい。１０３は、ユーザーによる操作またはズーミングに伴って開口径が可変であり、光量絞りの機能を有する開口絞りである。なお、開口絞りは、無段階に操作可能としうる。１１０は、フォーカスレンズ群１０１の状態（例えば位置）を検出するための検出部（フォーカス状態検出部ともいう）である。フォーカスレンズ群１０１が複数のサブレンズ群から構成されている場合には、いずれか１つのサブレンズ群の状態のみを検出してもよいし、各サブレンズ群の状態を検出してもよい。１１１は、ズームレンズ群１０２の状態（例えば位置）を検出するための検出部（ズーム状態検出部ともいう）である。一般に、ズームレンズ群１０２は、２つ以上のサブレンズ群から構成されているが、いずれか１つのサブレンズ群の状態のみ検出してもよいし、各サブレンズ群の状態を検出してもよい。１１２は、開口絞り１０３の状態（例えば開口径または実効Ｆナンバー）を検出するための検出部（絞り状態検出部ともいう）である。ズームレンズ群による焦点距離範囲をシフトするために光路上に挿脱されるエクステンダーレンズ群と、エクステンダーレンズ群の挿脱の状態を検出する検出部（挿脱状態検出部ともいう）とが追加されてもよい。また、像振れ補正（像の安定化）のための防振レンズ群と、防振レンズ群の状態（例えば位置）を検出する検出部（防振状態検出部ともいう）が追加されていてもよい。光軸からの防振レンズ群の変位量と、像面上での光軸のズレ量との関係とに基づいて、周辺光量比の非対称性を考慮した光量補正を行ってもよい。いずれにしても、各検出部により検出された各状態からレンズ装置１００の状態が特定される。
【００１２】
１２０は、レンズ装置における各種処理を行う処理部である。１３０は、カメラ装置２００に対して光量補正のための補正データを送信する通信部である。１４０は、補正データを記憶している記憶部であり、例えば、不揮発性メモリで構成されうる。記憶部１４０には、フォーカス状態、ズーム状態、絞り状態等により特定されるレンズ装置の状態ごとに、像高に関するｎ次の式（ｎは、非負の整数）の各次数の項の係数として、補正データが記憶されている。詳細は後述する。なお、処理部１２０、通信部１３０、および記憶部１４０は、単数または複数のロジック・デバイス、またはロジック・デバイスおよびメモリ・デバイスから構成されうる。
【００１３】
カメラ装置２００において、２１０は、カメラ装置における各種処理を行う処理部である。２２０は、レンズ装置とは通信するための通信部である。２３０は、レンズ装置１００から送信された補正データを記憶する記憶部である。２４０は、レンズ装置の像面に配された、レンズ装置により形成された像（光信号）を電気信号に変換する撮像素子であり、ＣＣＤやＣＭＯＳデバイス等で構成されうる。
【００１４】
本実施形態においては、例えば、基準状態における光軸位置（像高ゼロの位置）の光量を基準量（１）とする補正量（≧１）を、レンズ装置の状態ごとに、像高に関するｎ次の式（近似式）で表している。すなわち、補正量をＤとし、像高をｈとし、ズーム状態、フォーカス状態、絞り状態、およびエクステンダーレンズ群の挿抜状態をそれぞれＺ、Ｏ、Ｐ、およびｉとする像高ｈに関するｊ次の項の係数をＡｊ（Ｚ，Ｏ，Ｐ，ｉ）として、例えば、
【００１５】
【数１】
2020096327.tif 000003
【００１６】
なる像高ｈに関する多項式で補正量Ｄを表している。ここで、基準状態とは、例えば、特定のズーム状態、特定のフォーカス状態、特定の絞り状態、および特定の挿抜状態により特定されるレンズ装置の状態である。具体的には、例えば、広角端、無限遠合焦、絞り開放、およびエクステンダーレンズ群の抜去状態のような状態である。なお、基準状態は、各絞り状態やエクステンダーレンズ群の挿抜各状態に関して、設定されていてもよい。補正量を像高に関するｎ次式で表し、かつ、その係数を補正データとすることにより、補正データの量を削減することができる。
【００１７】
補正量Ｄは、像高ｈに関する３次式で表した場合、３次、２次、１次および０次の項の係数をそれぞれＡ３、Ａ２、Ａ１、およびＡ０として、
Ｄ＝Ａ３ｈ３＋Ａ２ｈ２＋Ａ１ｈ＋Ａ０
と表される。記憶部１４０は、３次ないし０次の係数Ａ３、係数Ａ２、係数Ａ１、および係数Ａ０を補正データとして記憶している。なお、係数Ａ３、係数Ａ２、係数Ａ１、および係数Ａ０は、上述のように、レンズ装置の状態ごとに記憶されている。ここで、当該状態は、例えば、ズーム、フォーカス、および絞りそれぞれの有限の数の状態、ならびにエクステンダーレンズ群の有限の数の状態によって特定されうる。現在のレンズ装置の状態が、記憶部１４０に記憶されている有限の数の状態とは異なる状態である場合は、補間処理により補正データ（補正量）を生成する。当該補間処理は、例えば、線形補間による処理としうる。なお、当該補間処理は、記憶部１４０に記憶されているレンズ装置の状態のうち現在のレンズ装置の状態に最も近い状態の補正データを生成する最近傍補間による処理としうる。このように、線形補間とは別の補間方法で補間処理を行ってもよい。
【００１８】
補正量Ｄは、像高に関する４次式で表すのがより好ましい。そうする場合、補正量Ｄは、
Ｄ＝Ａ４ｈ４＋Ａ３ｈ３＋Ａ２ｈ２＋Ａ１ｈ＋Ａ０・・・（１）
と表される。記憶部１４０は、４次ないし０次の係数Ａ４、係数Ａ３、係数Ａ２、係数Ａ１、および係数Ａ０を補正データとして記憶している。なお、係数Ａ４、係数Ａ３、係数Ａ２、係数Ａ１、および係数Ａ０は、上述のように、レンズ装置の状態ごとに記憶されている。ここで、当該状態は、例えば、ズーム、フォーカス、および絞りそれぞれの有限の数の状態、ならびにエクステンダーレンズ群の有限の数の状態によって特定されうる。なお、４次多項式は、３次多項式よりも、画像周辺部での像高変化による急峻な光量変化を含む光量分布に対して、近似の点では有利となる。一方、次数が５以上の多項式は、４次多項式よりも、補正量を得るのに要する時間の点では不利となり、動画像データのリアルタイム処理の点では不利となりうる。
【００１９】
ここで、本実施形態にかかる補正データについて説明する。
【００２０】
解決すべき課題としての補正量のうねりは、像高の変化につれて周辺光量比（中心に対する光量比）に過度の増減があったり、当該過度の増減が繰り返されたりするような光量分布として、補正後の画像データに現れうる。よって、当該補正量のうねりを低減するように、補正データを生成すればよい。
【００２１】
図１２は、解決すべき課題を説明するための図である。図１２の（Ａ）は、像高により急峻な光量（周辺光量比）の変化を示す光量分布（補正前）と光量分布（補正後）とを示している。図１２の（Ｂ）は、補正前の光量（周辺光量比）の傾きｄＤｌｅｎｓ（ｈ）を示している。ｄＤｌｅｎｓ（ｈ）は、像高ｈでの光量のｄｈあたりの変化量である。ここで、ｄｈは、予め定められた像高ｈの増加量である。また、図１２の（Ｂ）は、うねりのある補正量を示すｎ次式の逆数の傾きｄＤ´（ｈ）も示している。ｄＤ´（ｈ）は、像高ｈでのｎ次式の逆数の値のｄｈあたりの変化量である。同図の（Ａ）において、補正後の光量分布が増加するのは、同図の（Ｂ）において、ｄＤ´（ｈ）がｄＤｌｅｎｓ（ｈ）を上回る（ｄＤ´（ｈ）＜０、かつｄＤ´（ｈ）＜ｄＤｌｅｎｓ（ｈ））像高においてである。これは、補正前の周辺光量比とｎ次式の値との積が補正後の周辺光量比となるためである。図１２の（Ｃ）は、ｄＤ´（ｈ）とｄＤｌｅｎｓ（ｈ）との差を示している。ここで、レンズ装置の周辺光量比の傾きｄＤｌｅｎｓ（ｈ）は、レンズ装置の周辺光量比ｄＤｌｅｎｓ（ｈ）を用いると、Ｄｌｅｎｓ（ｈ＋ｄｈ）−Ｄｌｅｎｓ（ｈ）で表される。また、ｎ次式の逆数の傾きｄＤ´（ｈ）は、ｎ次式Ｄ（ｈ）を用いると、１／Ｄ（ｈ＋ｄｈ）−１／Ｄ（ｈ）で表される。
【００２２】
ここで、ｎ次の式の係数は、条件式（第１条件式ともいう）
−０．１５≦ｄＤ´（ｈ）−ｄＤｌｅｎｓ（ｈ）≦１．９８・・・（２）
を満足するｎ次の式の係数である。
【００２３】
条件式（２）を満足することで、像高の増加にともなって補正後の周辺光量比が過度に増加しないようにすることができ、それゆえ、補正後の周辺光量比のうねりを低減できる。
【００２４】
条件式（２）の下限を超えると、像高の増加にともなって補正後の周辺光量比が過度に増加して画像の観察者に違和感を与える。また、条件式（２）の上限を超えると、補正後の周辺光量比が補正不足となる。
【００２５】
一般に、レンズ装置における周辺光量の低下は、口径食（ビネッティング）やコサイン４乗則、ディストーションなどに起因して生じる。特に、周辺光量比が中間像高から急峻に低下するのは、口径食によるところが大きい。特に、レンズ装置が広角状態の場合には、第１レンズ群や第２レンズ群における光学部材や機構部材により大像高（高像高）の軸外光線が遮られる場合が多く、最大像高（最高像高）付近で周辺光量比の急峻な低下が生じる。また、高倍率のレンズ装置では、小型化のため、広角端から特定の中間ズーム状態まではＦナンバーの変化が少なく、当該特定のズーム状態から望遠端にかけてＦナンバーが大きくなる（所謂Ｆ落ち（Ｆドロップ）といわれる現象が起こる）。このようなレンズ装置の場合、Ｆ落ちが始まるズーム状態（焦点距離）近傍から望遠端側のズーム状態において、第１レンズ群の外径の制約等により、中間像高より高像高側に向かう軸外光線が遮られる。これにより、高像高側で周辺光量比の急峻な低下が生じる。
【００２６】
図１３に、その一例を示す。図１３は、絞り状態がＦ２．０、Ｆ２．８、およびＦ４．０の各状態における、中心（像高０）での光量に対する各像高での光量の比を示している。絞りを絞ることにより、周辺部（高像高）で光量の落ちの程度は減少する。周辺部での光量は、絞りだけでなく、ズーミングおよびフォーカシングの操作によっても変化する。
【００２７】
本実施形態に係るレンズ装置は、広角端での開放ＦナンバーをＦｗとし、望遠端での開放ＦナンバーをＦｔとし、広角端での焦点距離をｆｗとし、望遠端での焦点距離をｆｔとする。また、ｆｄ＝Ｆｗ／Ｆｔ×ｆｔで表される焦点距離ｆｄでの開放ＦナンバーをＦｄとする。当該レンズ装置は、以上のように定義して、条件式
１．１０＜Ｆｔ／Ｆｄ＜４．００・・・（３）
−０．０１＜（Ｆｄ−Ｆｗ）／Ｌｏｇ（ｆｄ／ｆｗ）＜１．２０・・・（４）
を満足することとする。条件式（３）は、焦点距離ｆｄでの開放Ｆナンバーと望遠端での開放Ｆナンバーとの比の範囲を規定している。条件式（３）の下限を超えるような構成のレンズ装置は、周辺の光量に対して中心の光量の変動が過度に小さい。そのため、周辺光量比の変動が過度に小さくなり、本実施形態に係る補正の効果が過度に小さい。条件式（３）の上限を超えるような構成のレンズ装置は、望遠端での光量を広角端での光量程度まで補正すると、ノイズの強調が過度となる。
【００２８】
条件式（４）は、広角端での焦点距離ｆｗから焦点距離ｆｄまでのＦナンバーの変化の割合の範囲を規定している。条件式（４）の下限を超えるような構成のレンズ装置は、レンズ等の光学部材の有効径を過度に大きくすることで実現できるが、レンズ装置の小型軽量の点で不利となる。また、球面収差・像面湾曲等の収差の点でも不利となる。条件式（４）の上限を超えるような構成のレンズ装置は、ズーミングによりＦナンバーが過度に変化するため、補正データの数を過度に多く設定しないと、補正データの補間誤差が過度に大きくなり、光量の過補正または補正不足が過度となる。
【００２９】
条件式（３）および（４）を満足するようなレンズ装置は、広角端から焦点距離ｆｄに係るズーム状態まではＦナンバーの変化が小さく、焦点距離ｆｄに係るズーム状態から望遠端まではＦナンバーが顕著に大きくなる。これは、所謂Ｆ落ち（Ｆドロップ）といわれる現象である。放送用のレンズ装置を含む、そのような構成のレンズ装置は、特に、Ｆ落ちする焦点距離近傍から望遠側の焦点距離範囲において、像高による周辺光量比の急峻な変動が顕著である。この点を踏まえて、補正データは、適切に生成する必要がある。図２は、条件式（３）および（４）を満足するようなレンズ装置における、ズーミングによるＦナンバーの変化を示している。図２は、焦点距離（対数）とＦナンバーとの間の関係を例示する図である。
【００３０】
なお、光量補正は、中心像高での光量と周辺像高での光量との差を低減するだけのものには限られない。例えば、光量補正は、ズーム状態（焦点距離）によって変化する中心像高での光量を補正しつつ、補正後の中心像高での光量と周辺像高での光量との差を低減するものも含む。
【００３１】
本実施形態は、条件式（２）を満足する像高ｈは、最大像高をＹとして、
０．１０×Ｙ≦ｈ≦０．８０×Ｙ・・・（５）
を満足するのが好ましい。条件式（５）は、補正量のうねりを低減する像高の範囲を規定している。当該範囲内における補正量のうねりは目立ちやすい。条件式（５）の下限または上限を超えると、目立ちにくい像高範囲までも補正量のうねりを制限するあまり、目立ちやすい像高範囲の補正量のうねりは、かえって増加する。
【００３２】
本実施形態は、像高ゼロ（画面中心）と像高ｈｎ（画面周辺）との２点に関する周辺光量比の傾きをｄＤｌｅｎｓ＿０ｎとし、像高ｈｎと最大像高Ｙとの２点に関する周辺光量比の傾きをｄＤｌｅｎｓ＿ｎＹとして、
０．１０≦｜ｄＤｌｅｎｓ＿０ｎ−ｄＤｌｅｎｓ＿ｎＹ｜・・・（６）
を満足するｈｎを有するレンズ装置の状態（例えば、ズームレンズ群、フォーカスレンズ群、開口絞り、およびエクステンダーレンズ群の状態）において条件式（２）を満足するのが好ましい。条件式（６）は、条件式（２）を満足すべき、像高による周辺光量比の変動が急峻であるレンズ装置の状態に係る範囲を規定している。条件式（６）の下限を超えるようなレンズ装置の状態まで補正量のうねりを低減しようとすると、本来効果が低いレンズ装置の状態にまで条件式（２）に係る制約を無駄に課することになる。
【００３３】
本実施形態は、条件式（６）を満足する像高ｈｎは、最大像高をＹとして、
０．１０×Ｙ≦ｈｎ≦０．８０×Ｙ・・・（７）
を満足するのが好ましい。
【００３４】
条件式（７）は、周辺光量比が急峻な変化をする像高の範囲を規定している。条件式（７）の下限あるいは上限を超えると、本来効果が低い像高範囲までも補正量のうねりを低減しようとすることになるため、うねりの目立ちやすい像高範囲のうねりが増加する。
【００３５】
本実施形態は、補正データは、像高ゼロから像高ｈｎまでの像高ｈごとの周辺光量比と補正量Ｄとの積の平均値をＡｖｅ＿０ｎとし、像高ｈｎから最大像高Ｙまでの像高ｈごとの周辺光量比と補正量Ｄとの積の平均値をＡｖｅ＿ｎＹとして、条件式
Ａｖｅ＿ｎＹ／Ａｖｅ＿０ｎ≦０．９５・・・（８）
を満足するのが好ましい。条件式（８）は、像高ゼロから像高ｈｎまでの補正後の周辺光量比の平均と、像高ｈｎから最大像高Ｙまでの補正後の周辺光量比の平均との比を規定している。前者に対して後者を補正し過ぎないことを規定している。条件式（８）の上限を外れると、像高により周辺光量比が急峻な変動をするようなレンズ装置において、補正後の周辺光量比は、中間像高においてうねりを生じてしまう。
【００３６】
本実施形態は、条件式（６）、または条件式（６）および（８）を満足する像高ｈｎは、最大像高をＹとして、条件式
０．７０×Ｙ≦ｈｎ＜１．００×Ｙ・・・（９）
を満足するのが好ましい。条件式（９）は、周辺光量比が急峻な変化をする像高の範囲を規定している。当該範囲は、画像における面積が比較的小さく、補正後の周辺光量比の低下が目立ちにくい。条件式（９）の下限を超えると、補正不足が目立つため好ましくない。
【００３７】
補正量のうねりを低減するためには、像高の変化につれて周辺光量比に過度の増減があったり、当該過度の増減が繰り返されたりするような補正量とならないように、補正データを生成すればよい。補正データをｎ次式で表す場合、一般に、ｎ次式にはｎ−１以下の個数の極値を有する。ここで、複数の極値が存在する場合において、像高の値が隣り合う２つの極値について考える。すると、当該２つの極値に関して、２つの像高の差が特定の範囲（過度に小さくもなく過度に大きくもない範囲）内にあり、かつ２つの極値の差の大きさ（絶対値）が許容値を超える場合に、補正量が過度にうねることとなる。
【００３８】
例えば、補正量は、４次式で表される場合、極値の個数は３以下となり、
ｄＤ／ｄｈ（ｈ）＝４Ａ４ｈ３＋３Ａ３ｈ２＋２Ａ２ｈ＋Ａ１＝０
を満足するような像高ｈにおいて極値を有する。ここで、像高の隣り合う２つの極値をとる２つの像高をそれぞれｈ１およびｈ２として、ｄＤ／ｄｈ（ｈ１）＝０およびｄＤ／ｄｈ（ｈ２）＝０となる。よって、係数Ａ１およびＡ２は、それぞれ、係数Ａ３およびＡ４ならびに像高ｈ１およびｈ２を用いて表すことができる。上記の許容値をＣとすると、当該２つの極値の差（｜Ｄ（ｈ２）−Ｄ（ｈ１）｜）と許容値Cとの間の関係は、ｈ１とｈ２との間の和および差、ならびに高次の係数Ａ３およびＡ４を用いて、次式で表せる。
｜Ｄ（ｈ２）−Ｄ（ｈ１）｜＝｜（０．５×（ｈ１−ｈ２）３）Ａ３＋（０．５×（ｈ１−ｈ２）３×２（ｈ１＋ｈ２））Ａ４｜≦Ｃ
【００３９】
すなわち、補正量は、最大像高Ｙの大きさに対して小さ過ぎず大き過ぎない特定範囲内の像高間隔で許容値Ｃを超える２つの極値が存在するような場合に、補正量のうねりとして、画像の観察者に違和感を与えうる。
【００４０】
本実施形態は、補正量Ｄを表す４次式（１）の４次の項の係数Ａ４および３次の項の係数Ａ３が条件式
−０．１０＜Ａ３＋２Ｙ×Ａ４＜０．１０・・・（１０）
を満足するのが好ましい。条件式（１０）の上限または下限を超えると、過補正または補正不足が生じ、画像に円環状の輝度ムラが発生する。
【００４１】
一般に、ヴィネッティングにより像高による急峻な周辺光量変化を呈する最大像高付近を除けば、像高ゼロ（画面中心）と像高ｈｎ（画面周辺）との間のレンズ装置の周辺光量比の傾きは、ほぼ一定とみなせる。そのため、目立たない最大像高付近での急峻な周辺光量変化を許容して、特定の像高ｈｎまでを考慮して補正データを生成する場合は、ｎ次式の高次の項の係数は、比較的小さな値となる。ここで、高次の項の係数の値を比較的小さくすると、最大像高および最大像高付近の像高での補正効果は低まるものの、中間像高での補正量のうねりを低減しうる。よって、本実施形態は、条件式
｜Ａ４｜≦０．００２０  ・・・（１１）
｜Ａ３｜≦０．０１５０  ・・・（１２）
を満足するのが好ましい。条件式（１１）及び（１２）は、ｎ次式の高次の項の係数を規定している。像高により周辺光量比が急峻な変動をするレンズ装置の状態においては、当該係数の値を当該範囲とすることで、補正量のうねりを低減する（許容範囲内にする）ことができる。条件式（１１）及び（１２）の上限を超えると、像高によって周辺光量比が急峻な変動をするレンズ装置の状態においては、補正量のうねりの低減と良好な補正との両立が困難となる。
【００４２】
本実施態様は、好ましくは、条件式（１１）及び（１２）を満足し、かつ条件式（６）を満足する像高ｈｎは、最大像高をＹとして、
０．７０×Ｙ≦ｈｎ＜１．００×Ｙ・・・（１３）
を満足するのが好ましい。条件式（１３）は、周辺光量比が急峻な変化をする像高を規定している。急峻な変化は、最大像高近辺の像高範囲に限定されているのが好ましい。低次のｎ次式で補正量を表す場合、中心（像高ゼロ）に比較的近い像高から周辺光量比が低下していると、周辺光量比の補正不足が顕著となる。条件式（１３）の下限を超えると、補正不足が顕著となり、好ましくない。
【００４３】
本実施形態は、像高ゼロから像高ｈｎまでの各像高ｈでの周辺光量比と補正量Ｄとの積の各像高ｈでの２次微分の値をｄｄＡｖｅとし、４次式（１）の０次の項の係数をＡ０として、各像高ｈにおいて、条件式
｜ｄｄＡｖｅ／Ａ０｜≦０．５０・・・（１４）
を満足するのが好ましい。条件式（１４）は、像高ゼロから像高ｈｎまでにおける補正後の周辺光量比の傾きの変化の大きさを規定している。補正後の周辺光量比傾きの変化の大きさが穏やかであることを示している。条件式（１４）の範囲を外れると、補正後の周辺光量比の傾きの変化が許容できないものとなり、好ましくない。
【００４４】
本実施形態は、ｎ次式の項に掛け合わせる補正係数を設定可能なユーザー・インターフェース部（調整部）を有してもよい。これにより、画像のノイズが目立つ程度などに従って補正量を調整することができる。例えば、Ｆ落ちが大きなレンズ装置の場合、望遠状態における補正量を低減（補正後の全像高での光量を一律に低減）してノイズを軽減することができる。これは、当該状態において、定数項を含むｎ次多項式の全ての項に同じ補正係数（＜１）を掛け合わせることで実現できる。また、例えば、周辺光量の低下が大きなレンズ装置の場合、画像の中心（像高ゼロ）の光量を維持したまま、画像の周辺のノイズを軽減することができる。これは、定数項以外のｎ次多項式の全ての項に同じ補正係数（＜１）を掛け合わせることで実現できる。なお、光量補正効果の改善や映像表現上の効果等を目的として、１より大きい補正係数を採用してもよい。
【００４５】
本実施形態は、レンズ装置の通信部からカメラ装置の通信部へ補正データを送信するか否かを切り替え可能とするのが好ましい。これにより、必要に応じて選択的に補正を行うことができる。また、本実施形態は、通信部は、ズーム状態、フォーカス状態、および絞り状態のうちズーム状態および絞り状態に関する補正データをカメラ装置等の外部装置に送信するようにするのも好ましい。フォーカス状態の変化による周辺光量比の変動は、ズーム状態または絞り状態の変化によるそれに比して小さい。そのため、ズーム状態および絞り状態に関する補正データのみを外部装置に送ることで、補正に要するデータ容量を削減することができる。
【００４６】
本実施形態は、開口絞りと、開口絞りより像側のレンズ群とは、ズーミングのためには移動しないのが好ましい。開口絞りと、開口絞りより像側のレンズ群とがズーミングのために移動する場合、ズーミングによりＦナンバーが変化するため、像の中心での光量および像の周辺での光量が過度に変動し、補正の過不足が生じやすい。また、本実施形態は、ズーミングやフォーカシングによって、開口絞りの径が変化しないのが好ましい。また、本実施形態は、最も物体側にある第１レンズ群は、ズーミングのためには移動しないレンズ群であり、また、フォーカシングのために移動するサブレンズ群を含むのがよい。これにより、ズームレンズ群、フォーカスレンズ群、および絞りの各状態の変化に関して、周辺光量比の変化が急峻ではなくなるため、補正データの量の少なさ又は補正精度の高さの点で有利なレンズ装置を提供しうる。また、フォーカスレンズ群がズーミングのためにも移動する場合、物体距離を変更するのに焦点距離も変化し、中心での光量および周辺での光量が過度に変動し、補正による過不足が生じやすい。
【００４７】
本実施形態は、レンズ装置の第１レンズ群の焦点距離をｆ１とし、レンズ装置の第２レンズ群の焦点距離をｆ２とし、レンズ装置の広角端での焦点距離をｆｗとして、次の条件式を満足することの好ましい。
２．０＜ｆ１／ｆｗ＜３５．０・・・（１５）
−１５．０＜ｆ１／ｆ２＜−１．２・・・（１６）
【００４８】
条件式（１５）及び（１６）は、口径食による影響が大きい、広画角かつ高倍率のレンズ装置の満足する条件を示している。上記条件式の範囲を外れると、像高の変化による周辺光量比の変化が急峻とはいえないため、十分には効果を発揮できない。また、広画角かつ高倍率のレンズ装置とするのに、第１レンズ群の小型軽量やレンズ装置の小型軽量の点で不利となる。
【００４９】
本実施態様は、広角端での焦点距離をｆｗとし、焦点距離ｆｗに関する前記係数Ａ０をＡ０（ｆｗ）とし、焦点距離ｆｔに関する前記係数Ａ０をＡ０（ｆｔ）とし、焦点距離ｆｄに関する前記係数Ａ０をＡ０（ｆｄ）として、開口絞りの開放状態において、条件式
１．２１＜Ａ０（ｆｔ）／Ａ０（ｆｄ）＜１６．０・・・（１７）
−０．０１＜（Ａ０（ｆｄ）−Ａ０（ｆｗ））／Ｌｏｇ（ｆｄ／ｆｗ）＜０．５０・・・（１８）
を満足するのが好ましい。第１レンズ群がズーミングのために移動しないレンズ群であり、かつ第１レンズ群がフォーカシングのために移動するサブレンズ群を含むレンズ装置においては、望遠側のＦナンバー光線は、第１レンズ群のレンズ径で規定されている。この場合、
Ａ０（ｆｄ）＜Ａ０（ｆｔ）・・・（１９）
Ａ０（ｆｗ）＝Ａ０（ｆｄ）・・・（２０）
なる条件を満足することで、光量の補正が可能となりうる。
【００５０】
図２は、条件式（３）および（４）の特徴に加え、条件式（１５）および（１６）の特徴を有するレンズ装置におけるＦナンバーの変化を図示したものにも相当している。第１レンズ群は、ズーミングのためには移動せず、望遠側のＦナンバー光線は、第１群のレンズ径で規定されるようなレンズ装置では、Ｆナンバーは、図２のように、広角端から所定の焦点距離に係るズーム状態まで一定となるようにしている。このため、当該レンズ装置は、条件式（１９）および（２０）を満足する。しかしながら、ユーザーが視認する画像（映像）は、撮像素子の特性を含むカメラ装置の特性や、カメラ装置から送信された信号に対する処理等の影響を受ける。また、通信や記憶の容量の制約により限られたデータに基づいて補正する場合、補間処理の誤差も生じるため、必ずしも条件式（１９）および（２０）を満足すればよいとは限らない。そのような場合は、条件式（１７）および（１８）を満足するのがよい。
【００５１】
本実施態様は、エクステンダーレンズ群と、エクステンダーレンズ群の挿抜状態の検出を行う検出部とを有し、当該挿抜状態に基づいて、補正データを切り替えるのが好ましい。エクステンダーレンズ群を有するレンズ装置においては、エクステンダーレンズ群の挿抜状態によってＦナンバーが変化し、周辺光量比も変化する。従って、エクステンダーレンズ群の挿抜それぞれの状態で個別の補正データを有し、挿抜状態に基づいて補正データを切り替えることにより、より正確な補正が可能となる。
【００５２】
条件式（２）、（３）、（４）、（５）、（６）、（７）、（８）、（９）、（１０）、（１１）、（１２）、（１３）、（１４）、（１７）、および（１８）の数値範囲は、次のようにするのがより好ましい。
−０．１０≦ｄＤ‘（ｈ）−ｄＤｌｅｎｓ（ｈ）≦１．５０・・・（２ａ）
１．１０＜Ｆｔ／Ｆｄ＜３．８０  ・・・（３ａ）
−０．０１＜（Ｆｄ−Ｆｗ）／Ｌｏｇ（ｆｄ／ｆｗ）＜１．００  ・・・（４ａ）
０．２０×Ｙ≦ｈ≦０．７０×Ｙ  ・・・（５ａ）
０．１１  ≦  ｜ｄＤｌｅｎｓ＿０ｎ  −  ｄＤｌｅｎｓ＿ｎＹ｜・・・（６ａ）
０．２０×Ｙ≦ｈｎ≦０．７０×Ｙ  ・・・（７ａ）
Ａｖｅ＿ｎＹ／Ａｖｅ＿０ｎ≦０．９０・・・（８ａ）
０．８０×Ｙ≦ｈｎ＜１．００×Ｙ  ・・・（９ａ）
−０．０５≦Ａ３＋１０×Ａ４＜０．０５  ・・・（１０ａ）
｜Ａ４｜≦０．００１０  ・・・（１１ａ）
｜Ａ３｜≦０．０１００  ・・・（１２ａ）
０．８０×Ｙ≦ｈｎ＜１．００×Ｙ  ・・・（１３ａ）
｜ｄｄＡｖｅ／Ａ０｜≦０．４５  ・・・（１４ａ）
１．２１＜Ａ０（ｆｔ）／Ａ０（ｆｄ）＜１４．０  ・・・（１７ａ）
−０．０１＜（Ａ０（ｆｄ）−Ａ０（ｆｗ））／Ｌｏｇ（ｆｄ／ｆｗ）＜０．４０  ・・（１８ａ）
【００５３】
条件式（２）、（３）、（４）、（５）、（６）、（７）、（８）、（９）、（１０）、（１１）、（１２）、（１３）、（１４）、（１７）、および（１８）の数値範囲は、次のようにするのがさらに好ましい。
−０．０５≦ｄＤ‘（ｈ）−ｄＤｌｅｎｓ（ｈ）≦１．００・・・（２ｂ）
１．２０＜Ｆｔ／Ｆｄ＜３．５０  ・・・（３ｂ）
−０．０１＜（Ｆｄ−Ｆｗ）／Ｌｏｇ（ｆｄ／ｆｗ）＜０．５０  ・・・（４ｂ）
０．３０×Ｙ≦ｈ≦０．６０×Ｙ  ・・・（５ｂ）
０．１２  ≦  ｜ｄＤｌｅｎｓ＿０ｎ  −  ｄＤｌｅｎｓ＿ｎＹ｜・・・（６ｂ）
０．３０×Ｙ≦ｈｎ≦０．６０×Ｙ  ・・・（７ｂ）
Ａｖｅ＿ｎＹ／Ａｖｅ＿０ｎ≦０．８５・・・（８ｂ）
０．９０×Ｙ≦ｈｎ＜１．００×Ｙ  ・・・（９ｂ）
−０．０２≦Ａ３＋１０×Ａ４＜０．０２  ・・・（１０ｂ）
｜Ａ４｜≦０．０００６  ・・・（１１ｂ）
｜Ａ３｜≦０．００５０  ・・・（１２ｂ）
０．９０×Ｙ≦ｈｎ＜１．００×Ｙ  ・・・（１３ｂ）
｜ｄｄＡｖｅ／Ａ０｜≦０．２５  ・・・（１４ｂ）
１．４４＜Ａ０（ｆｔ）／Ａ０（ｆｄ）＜１２．２５  ・・・（１７ｂ）
−０．０１＜（Ａ０（ｆｄ）−Ａ０（ｆｗ））／Ｌｏｇ（ｆｄ／ｆｗ）＜０．２０  ・・（１８ｂ）
【００５４】
ここで、図３は、実施形態１に係る処理の流れを例示する図である。ステップＳ１００では、処理が開始される。ステップＳ１１０では、先ず、カメラ装置２００の処理部２１０が、カメラ装置２００の通信部２２０およびレンズ装置１００の通信部１３０を介して、レンズ装置１００の処理部１２０へ補正データを要求する。ステップＳ１２０では、レンズ装置１００の処理部１２０は、記憶部１４０から補正データを読み込む。そして、レンズ装置１００の通信部１３０およびカメラ装置２００の通信部２２０を介して、カメラ装置２００の処理部２１０へ補正データを出力する。ステップＳ１３０では、カメラ装置２００の処理部２１０は、受信した補正データを記憶部２３０へ書き込む。
【００５５】
以降の処理は、画像（映像）の１フレームごとの処置である。ステップＳ１４０では、レンズ装置１００の処理部１２０は、フォーカス状態検出部１１０、ズーム状態検出部１１１、絞り状態検出部１１２から各状態（レンズ装置の状態）を取得する。そして、レンズ装置１００の処理部１２０は、レンズ装置１００の通信部１３０およびカメラ装置２００の通信部２２０を介して、カメラ装置２００の処理部２１０へレンズ装置の状態を出力する。
【００５６】
ステップＳ１５０では、カメラ装置２００の処理部２１０は、撮像素子２４０から画像データ（映像データ）を取得する。ステップＳ１６０では、カメラ装置の処理部２１０は、ステップＳ１４０で受信したレンズ装置の状態に対応する補正データをカメラ装置２００の記憶部２３０から読み込む。カメラ装置２００の記憶部２３０に記憶されている補正データは、フォーカス、ズーム、および絞りそれぞれの状態について、離散的なデータである。従って、カメラ装置２００の処理部２１０は、レンズ装置の状態が特定されると、読み込まれた補正データに基づいて、特定された状態に対応する補正データを補間処理により生成する。ステップＳ１７０では、カメラ装置２００の処理部２１０は、生成された補正データに基づいて補正量を生成し、当該補正量に基づいて画像データの補正を行う。以降は、ステップＳ１４０へ処理が戻され、予め定められた終了条件が満足されるまで、処理が継続される。
【００５７】
ここで、本実施形態に係るレンズ装置の光学系の構成について説明する。図４は、レンズ装置の光学系を例示する図である。図４は、広角端かつ無限遠合焦状態での光学系の断面図である。同図において、Ｕ１は、ズーミングのためには移動しない正の屈折力の第１レンズ群である。無限遠から近距離側への合焦のためにＵ１の一部のレンズ群が物体側へ移動する。Ｕ２は、広角端（短焦点距離端）から望遠端（長焦点距離端）へのズーミングのために像側へ移動する負の屈折力の第２レンズ群である。Ｕ３は、第２レンズ群Ｕ２に連動して移動し、変倍に伴う像面変動を補正（補償）する正の屈折力の第３レンズ群である。ＳＰは、開口絞りである。Ｕ４は、正の屈折力の第４レンズ群であり、物体側から順に第４１レンズ群、第４２レンズ群、および正の屈折力を有する第４３レンズ群から構成されている。Ｕ４は、ズーミングのためには移動しないものの、種々の原因によるピントズレを補正（低減）するために、その全体または一部が移動するようにしてもよい。Ｐは、プリズム、光学フィルターおよびその他のうちの少なくとも１つを含む光学ブロックを示す。ＩＰは、レンズ装置の像面であり、そこには、レンズ装置がカメラ装置に接続された場合に、撮像素子（光電変換素子）が配されることになる。
【００５８】
つづいて、各レンズ群の構成を説明する。第１レンズ群Ｕ１は、物体側から像側へ順に、負レンズ、正レンズ、正レンズ、正レンズ、および正レンズから構成されている。合焦のために、最も像側の３枚の正レンズが像側から物体側へ移動する。第２レンズ群Ｕ２は、物体側から像側へ順に、負レンズ、負レンズと正レンズとの接合レンズ、および負レンズから構成されている。第３レンズ群Ｕ３は、物体側から像側へ順に、正レンズ、正レンズ、負レンズと正レンズとの接合レンズ、および正レンズから構成されている。第４１レンズ群Ｕ４１は、物体側から像側へ順に、負レンズ、正レンズ、および負レンズから構成されている。第４２レンズ群Ｕ４２は、物体側から像側へ順に、負レンズと正レンズとの接合レンズ、および正レンズから構成されている。第４３レンズ群Ｕ４３は、物体側から像側へ順に、正レンズ、負レンズと正レンズとの接合レンズ、正レンズと負レンズとの接合レンズ、および正レンズから構成されている。
【００５９】
なお、レンズ装置１００の光学系に係る数値実施例は、後述のとおりである。当該数値実施例において、ｉは、物体側からの面の順序を示す。ｒｉは、物体側より第ｉ番目の面の曲率半径、ｄｉは、物体側より第ｉ番目の面と第ｉ＋１番目の面との間の間隔を示す。ｎｄｉおよびνｄｉは、それぞれ第ｉ番目の面と第ｉ＋１番目の面との間の光学部材（光学媒体）の屈折率およびアッベ数を示す。ＢＦは、空気換算のバックフォーカスである。最後の３つの面は、フィルタ等のガラスブロックにおける面である。数値実施例において、面番号に付された＊は、その面が非球面であることを示す。
【００６０】
非球面形状は、光軸の方向にＸ軸をとり、光軸とは垂直な方向にＨ軸をとり、光の進行方向を正として表す。また、Ｒを近軸曲率半径とし、ｋを円錐定数とし、Ａ４、Ａ６、Ａ８、・・・、Ａ１６、Ａ３、Ａ５、Ａ７、・・・、Ａ１５をそれぞれ非球面係数として、次式で表す。また、「ｅ−Ｚ」は「×１０−Ｚ」を意味する。
【００６１】
【数２】
2020096327.tif 000004
【００６２】
表１に、補正データ（係数）の数値実施例を、表２ないし表７に、各条件式に係る値を示す。図５は、補正前後の光量分布（周辺光量比）を例示する図である。同図は、実施例のズームレンズにおいて第４２レンズ群が光路に挿入されている状態での周辺光量比を示す。（Ａ）絞り開放・無限遠合焦・広角端、（Ｂ）絞り開放・無限遠合焦・焦点距離３４８．３０ｍｍ、（Ｃ）絞り開放・無限遠合焦・望遠端、（Ｄ）絞りＦ／２．０８８・無限遠合焦・焦点距離３４８．３０ｍｍのそれぞれの状態において、周辺光量比を示している。補正量を４次式で近似した場合の補正前の周辺光量比および補正後の周辺光量比を示す。いずれも、中心光量の補正と周辺光量比の補正とを行った場合の結果であり、中心での光量を１００％としている。図５から、本実施形態に係る補正処理を行うことによって、補正前に対して補正後に周辺光量比が良好に補正されていることがわかる。
【００６３】
なお、（Ａ）の広角端の状態や、（Ｄ）の開口絞りを絞った状態かつ焦点距離３４８．３０ｍｍの状態で、最大像高付近での光量の１００％からの乖離が顕著になっているのは、周辺光量比の急峻な変化に対して、補正量がうねってしまうのを避けた結果である。例示したように、本実施形態に係る補正データでの補正により、少ないデータ量で良好な補正を行うことができる。数値実施例は、条件式（２）ないし（１８）を満足する補正により、画面の中心から周辺まで光量（輝度）のうねりが少なく、高い光量均一性を達成している。
【００６４】
〔実施形態２〕
ここで、図６は、実施形態２に係る撮像装置の構成例を示す図である。実施形態１の撮像装置の構成例とは異なる点は、エクステンダーレンズ群１０４を有し、エクステンダーレンズ群１０４を選択的に光路上に挿抜可能である点である。また、エクステンダーレンズ群１０４の挿抜状態を検出する挿抜状態検出部１１３を有する点である。また、補正量を調節する調節部１５０と、補正データの送信のＯＮ／ＯＦＦを切り替えるための切替部１６０とを有している点である。調節部１５０と切替部１６０とは、いずれも、ユーザー・インターフェース部を構成している。補正量は、実施形態例１とは同様に、像高に関する３次式または４次式（式（１））で表される。調整部１５０は、Ｆ落ち（Ｆドロップ）に対する補正の強弱を調整するために、３次式または４次式（式（１））の全ての係数に掛け合わせる調整係数を設定することができる。また、調整部１５０は、周辺光量に対する補正の強弱を調整するために、３次式または４次式（式（１））の定数項以外の全ての項の係数に掛け合わせる調整係数を設定することができる。
【００６５】
また、レンズ装置の状態（フォーカス、ズーム、開口絞り、およびエクステンダーレンズ群の各状態）に対応する補正データをレンズ装置がカメラ装置に送信する点で、実施形態１とは異なっている。また、それゆえ、カメラ装置２００は、補正データを補間処理により得るためのデータを記憶する記憶部を有していない点で、実施形態１とは異なっている。
【００６６】
ここで、図７は、実施形態２に係る処理の流れを例示する図である。ステップＳ２００では、処理が開始される。ステップＳ２１０では、切替部１６０の状態を取得し、補正データの送信についてＯＮの状態の場合は、ステップＳ２２０に処理が進められる。また、補正データの送信についてＯＦＦの状態の場合は、ステップＳ２１５に処理が進められて処理が終了する。以降の処理は、画像（映像）の１フレームごとの処理である。
【００６７】
ステップＳ２２０では、レンズ装置１００の処理部１２０は、フォーカス状態検出部１１０、ズーム状態検出部１１１、絞り状態検出部１０３、挿抜状態検出部１１３から各状態を取得する。ステップＳ２３０では、レンズ装置１００の処理部１２０は、各状態（レンズ装置の状態）に対応する補正データを記憶部１４０から読み込む。そして、レンズ装置１００の通信部１３０およびカメラ装置２００の通信部２２０を介して、カメラ装置２００の処理部２１０へ補正データを送信する。記憶部１４０に記憶されている補正データは、フォーカス、ズーム、および絞りそれぞれの状態に関して離散的な補正データである。従って、レンズ装置１００の処理部１２０は、フォーカス、ズーム、および絞りそれぞれの状態が特定されると、特定された状態に対応する補正データを補間処理により生成する。
【００６８】
ステップＳ２４０では、レンズ装置の処理部１２０は、調整部１５０から調整係数を読み込み、レンズ装置１００の通信部１３０およびカメラ装置２００の通信部２２０を介して、カメラ装置２００の処理部２１０へ調整係数を送信する。
【００６９】
ステップＳ２５０では、カメラ装置２００の処理部２１０は、撮像素子２４０から画像データ（映像データ）を取得する。ステップＳ２７０では、カメラ装置２００の処理部２１０は、調整係数と補正データとを掛け合わせた得られた補正係数に基づく補正量で画像データの補正を行う。以降は、ステップＳ２２０へ処理が戻され、予め定められた終了条件が満足されるまで、処理が継続される。
【００７０】
本実施形態では、レンズ装置１００の切替部１６０によって補正データの送信のＯＮ／ＯＦＦを切り替えている。しかし、これには限定されない。すなわち、カメラ２００の処理部２１０による補正処理の実行と非実行とを切り替える切替部をカメラ装置に備えるようにして、同様の効果を得るようにしてもよい。
【００７１】
〔実施形態３〕
図８は、実施形態３に係る撮像装置の構成例を示す図である。実施形態１の構成例とは異なる点は、光路上に選択的に挿抜可能で、ズームレンズ群によるレンズ装置の焦点距離範囲を段階的にシフトする１つ以上のエクステンダーレンズ群１０４を有している点である。また、エクステンダーレンズ群の挿抜状態を検出する挿抜状態検出部１１３を有する点である。また、レンズ装置１００は、記憶部１４０を有さず、カメラ装置２００が記憶部２３５と、補正処理のＯＮ／ＯＦＦを切り替える切替部２５０とを有する点が異なる。切替部２５０は、補正処理のＯＮ／ＯＦＦを切り替えるのでなく、レンズ装置との通信のＯＮ／ＯＦＦを切り替えるのであってもよい。また、実施形態１の構成例とは、カメラ装置が補正データを記憶している点が異なり、実施形態３では、レンズ装置１００とカメラ装置２００との間で補正データの通信は行わない。これにより、通信負荷が軽減され、また、高速な処理が可能となる。
【００７２】
ここで、図９は、実施形態３に係る処理の流れを例示する図である。ステップＳ３００では、処理が開始される。つづくステップＳ３１０では、カメラ装置２００の処理部２１０は、切替部２５０の状態の確認を行い、補正処理についてＯＮの状態の場合は、ステップＳ３２０に処理が進められる。また、補正処理についてＯＦＦの状態の場合は、ステップＳ３１５に処理が進められて処理が終了する。
【００７３】
ステップＳ３２０では、カメラ装置２００の処理部２１０は、各検出部１１０、１１１、１１２、１１３からの各状態をレンズ装置１００の通信部１３０およびカメラ装置２００の通信部２２０を介して受信する。ステップＳ３３０では、カメラ装置２００の処理部２１０は、受信した各状態（レンズ装置の状態）に対応する補正データを記憶部２３５から読み込む。記憶部２３５に記憶されている補正データは、フォーカス、ズーム、および絞りそれぞれの状態に関する離散的なデータである。従って、カメラ装置２００の処理部２１０は、フォーカス、ズーム、絞り、挿抜の各状態が特定されると、読み込まれた補正データに基づいて、特定されたレンズ装置の状態に対応する補正データを補間処理により生成する。ステップＳ３４０では、カメラ装置２００の処理部２１０は、撮像素子２４０から画像データ（映像データ）を取得する。ステップＳ３５０では、カメラの処理部２１０は、画像データに対して補正処理を行う。以降は、ステップＳ３２０へ処理が戻され、予め定められた終了条件が満足されるまで、処理が継続される。
【００７４】
以上に説明したように、補正データを近似する像高に関してｎ次の式の各次数の係数に基づく補正をすることにより、少ないデータ量で各像高での光量を補正することができる。なお、０次の項（定数項）の係数のみを補正処理に供するようにしてもよい。例えば、望遠側でのＦドロップによる光量の低下の補正を行うのに、像高には依存せず、レンズ装置の状態に依存する０次の補正データのみを補正に使用してもよい。その場合、０次の項の係数のみを補正データとしてレンズ装置からカメラ装置に送信する、または、カメラ装置に予め記憶させるようにしてもよい。
【００７５】
また、画像データの補正は、画像処理機能を有するカメラ装置内で実施する構成としたが、それには限定されない。例えば、カメラ装置からの画像データと、レンズ装置からの補正データとに基づいて、カメラ装置およびレンズ装置とは異なる外部装置（画像処理装置）が補正処理を実行するようにしてもよい。
【００７６】
〔実施形態４〕
ここで、補正データの生成方法および各種装置の製造方法について説明する。特定像高より大きい像高範囲で周辺光量比が像高によって急峻に変化するような場合に対しては、補正後の周辺光量比の像高による変動を低減するために、当該急峻な変化がない場合に対するのとは異なる方法で補正データを生成する必要がある。以下、当該生成方法を説明する。図１０は、実施形態４に係る製造方法の流れを例示する図である。この流れは、補正データの生成（各種装置の製造）にあたって周辺像高の寄与を低減または削減することにより、補正後の周辺光量比の像高変化に伴ううねりを低減する（許容範囲内にする）ものである。
【００７７】
同図において、ステップＳＳ１００では、処理が開始される。ステップＳＳ１１０では、レンズ装置の状態（例えば、ズーム・フォーカス・絞り・エクステンダーレンズ群の各状態）における周辺光量比を取得する。周辺光量比は、レンズ装置の設計データや計測に基づいて取得しうる。ステップＳＳ１２０では、補正データを生成するのに用いる像高範囲および各像高の寄与率のうち少なくとも一方（生成条件）を設定する。例えば、像高範囲として全像高範囲を設定し、各像高の寄与率を１に設定する。ここでは、全像高範囲でなく、最大像高等の一部の像高を対象外としてもよい。また、各像高の寄与率が１でなく、最大像高等の一部の像高の寄与率を１未満としてもよい。ステップＳＳ１３０では、補正量を近似するｎ次式の係数（補正データ）を生成する。当該係数の生成は、例えば、補正量や補正後の周辺光量比等を目標にして、最小二乗法等の最適化手法により行う。または、補正前の周辺光量比を目標にして、最小二乗法等の最適化手法により多項式を生成し、当該多項式に基づいて行ってもよい。ここで、生成を容易にする等の目的で、各像高の寄与率や各像高の補正量（目標値）は、微小な範囲で適宜変更してもよい。ｎ次式の次数は、４次以下とするのが好ましい。また、補正後の周辺光量比は、全像高範囲にわたっての均一性が高いのが好ましい。
【００７８】
つづくステップＳＳ１４０では、うねりの判定を行う。前ステップで生成された補正データに基づく補正後の周辺光量比の像高変化によるうねりが許容範囲内である場合は、ステップＳＳ１５０に処理が進められて処理が終了する。当該うねりが許容範囲内でない場合は、ステップＳＳ１４５に処理が進められる。ここで、当該うねりが許容範囲内でないことは、例えば、像高の増加に伴って補正後の周辺光量比が許容範囲を超えて増加および減少、または減少および増加することとしうる。また、補正後の周辺光量比において、連続する２つの極値の差が許容範囲を超えていることとしうる。また、上述の条件式（２）を満足していないこととしうる。また、補正後の画像（のシミュレーション）に円環状の光量分布が生じていることとしうる。また、以上のような事象に対応する事象がｎ次式に基づく補正量に生じていることとしうる。
【００７９】
ステップＳＳ１４５では、補正データを生成するのに用いる像高範囲および各像高の寄与率のうち少なくとも一方を変更する。ここで、当該変更は、例えば、その時点の最大像高の除外および最大像高の寄与率の低減のうちの少なくとも一方としうる。その両方を行う場合、例えば、最大像高の寄与率をゼロにすることは、最大像高の除外に相当する。その後、ステップＳＳ１３０へ処理が戻され、ステップＳＳ１５０に処理が進められるか、予め定められた他の終了条件が満足されるまで処理が継続される。
【００８０】
以上の流れにより、像高による周辺光量比の変動の態様（急峻度合い等）に応じて出来るだけ大きな像高までの適切な補正を行うことができる。なお、画像は通常矩形であって、最大像高は当該矩形の四隅にあって目立ちがたいことから、このような処理が有効となる。
【００８１】
また、ステップＳＳ１４５においては、像高範囲および各像高の寄与率のうち少なくとも一方を変更する替わりに、目標とする補正量を変更するようにしてもよい。この場合、当該目標補正量の変更は、その像高による変化が穏やかになるようなものとしうる。例えば、目標補正量における当該変化の急峻な部分を、例えば公知の補間方法等を用いて、当該変化の滑らかな部分に置換すればよい。なお、補正データの生成方法は、以上に例示したものには限定されない。例えば、最大像高およびその近傍の補正は不十分でも、それ以外の像高での補正はうねりが許容範囲内になるように行える補正データを生成できるものであればよい。
【００８２】
以上のようにして生成された補正データは、レンズ装置の記憶部に記憶させることにより、撮像により得られた画像データの光量補正に有利なレンズ装置を製造することができる。また、以上のようにして生成された補正データは、処理装置（例えばカメラ装置に含まれる処理装置）の記憶部に記憶させることにより、撮像により得られた画像データの光量補正に有利な処理装置（カメラ装置）を製造することができる。
【００８３】
〔実施形態５〕
図１１は、実施形態５に係る製造方法の流れを例示する図である。実施形態４では、うねりの判定に基づいて補正データの生成条件を繰り返し変更する流れとしたのに対して、本実施形態では、補正前の周辺光量比の変化が急峻である場合に、予め定められた生成条件で補正データを生成するようにしている。
【００８４】
同図において、ステップＳＳ２００ないしステップＳＳ２２０の処理内容は、実施形態４におけるステップＳＳ１００ないしステップＳＳ１２０までの処理内容とは同様である。つづくステップＳＳ２３０では、補正前の周辺光量比の像高による変化が急峻か判定を行う。当該変化が急峻である場合は、ステップＳＳ２３５に処理が進められ、当該変化が急峻でない場合は、ステップＳＳ２４０に処理が進められる。ここで、当該変化が急峻である場合は、低次のｎ次式では補正量の正確な近似が困難であるため、補正後の周辺光量比に像高変化に伴ううねりが生じる。このため、当該変化が急峻である場合は、ＳＳ２２０での設定とは異なる設定をする必要がある。なお、当該判定は、例えば、像高に関する周辺光量比の傾きの変化（例えば像高に関する周辺光量比の２階微分）が許与範囲内であるかによって行いうる。また、条件式（６）、または条件式（６）および（７）を満足するかによって行いうる。また、補正前の画像またはそのシミュレーションに像高による急峻な光量比の変化が生じているかによって行いうる。
【００８５】
ステップＳＳ２３５では、補正データを生成するのに用いる像高範囲および各像高の寄与率のうち少なくとも一方を変更する。ここで、当該変更は、例えば、その時点の最大像高の除外および最大像高の寄与率の低減のうちの少なくとも一方としうる。その両方を行う場合、例えば、最大像高の寄与率をゼロにすることは、最大像高の除外に相当する。例えば、周辺光量比の急峻な変動が始まる像高から最大像高までの寄与率を低減すればよい。また、例えば、像高ゼロから周辺光量比の急峻な変動が始まる像高未満の像高までに像高範囲を限定すればよい。また、急峻な変化が目立ちにくい像高範囲（例えば８割ないし１０割像高）の寄与率を一律に低減してもよく、中心ないし中間像高をより重視した補正量の生成ができるような変更であればよい。
【００８６】
次に、ＳＳ２４０では、補正量を近似するｎ次式の係数（補正データ）を生成する。当該係数の生成は、例えば、補正量や補正後の周辺光量比等を目標にして、最小二乗法等の最適化手法により行う。または、補正前の周辺光量比を目標にして、最小二乗法等の最適化手法や、特定像高の光量についての連立方程式の求解等により、補正前の周辺光量比を近似する多項式を生成し、当該多項式に基づいて補正量のｎ次式の生成を行ってもよい。ここで、生成を容易にする等の目的で、各像高の寄与率や各像高の補正量（目標値）は、微小な範囲で適宜変更してもよい。ｎ次式の次数は、４次以下とするのが好ましい。また、補正後の周辺光量比は、全像高範囲にわたっての均一性が高いのが好ましい。ステップＳＳ２５０では、処理が終了する。
【００８７】
以上の流れにより、像高による周辺光量比の変動の態様（急峻度合い等）に応じて出来るだけ大きな像高までの適切な補正を行うことができる。なお、画像は通常矩形であって、最大像高は当該矩形の四隅にあって目立ちがたいことから、このような処理が有効となる。
【００８８】
また、ステップＳＳ２３５においては、像高範囲および各像高の寄与率のうち少なくとも一方を変更する替わりに、目標とする補正量を変更するようにしてもよい。この場合、当該目標補正量の変更は、その像高による変化が穏やかになるようなものとしうる。例えば、目標補正量における当該変化の急峻な部分を、例えば公知の補間方法等を用いて、当該変化の滑らかな部分に置換すればよい。なお、補正データの生成方法は、以上に例示したものには限定されない。例えば、最大像高およびその近傍の補正は不十分でも、それ以外の像高での補正はうねりが許容範囲内になるように行える補正データを生成できるものであればよい。また、実施形態４に係る流れに対しては、繰り返し処理が省かれている分、補正データの生成時間の点で有利となりうる。
【００８９】
以上のようにして生成された補正データは、レンズ装置の記憶部に記憶させることにより、撮像により得られた画像データの光量補正に有利なレンズ装置を製造することができる。また、以上のようにして生成された補正データは、処理装置（例えばカメラ装置に含まれる処理装置）の記憶部に記憶させることにより、撮像により得られた画像データの光量補正に有利な処理装置（カメラ装置）を製造することができる。
【００９０】
以上、本発明の好ましい実施形態について説明したが、本発明はこれらの実施形態に限定されないことはいうまでもなく、その要旨の範囲内で種々の変形及び変更が可能である。
【００９１】
（数値実施例）
単位 mm
面データ
面番号       r        d      nd         vd       有効径
1       1571.411    5.91   1.90366    31.3      212.83
2        361.491    3.13                        205.43
3        389.831   20.85   1.43387    95.1      204.88
4      -1519.134   25.29                        203.52
5        379.388   19.40   1.43387    95.1      198.91
6      -1690.060    0.25                        198.64
7        270.376   20.46   1.43387    95.1      194.91
8       5840.434    1.18                        193.83
9        190.778   14.41   1.59240    68.3      182.16
10        365.545  (可変)                        180.35
11*     11015.733    2.20   2.00330    28.3       48.62
12         41.065   10.49                         41.92
13        -62.377    1.40   1.88300    40.8       41.20
14         65.176    9.88   1.95906    17.5       42.94
15        -89.087    2.72                         44.24
16        -51.909    1.60   1.83400    37.2       44.38
17       -103.320  (可変)                         46.56
18        115.185   11.58   1.59201    67.0       78.76
19*     -2087.691    0.50                         79.19
20        142.758   13.08   1.59201    67.0       80.37
21       -231.655    0.20                         79.98
22        122.793    2.50   1.80518    25.4       76.29
23         57.717   18.11   1.43387    95.1       71.81
24       -564.234    0.50                         70.72
25*       364.246    6.50   1.49700    81.5       69.60
26       -414.835  (可変)                         68.42
27(絞り)    ∞       5.89                         31.81
28       -147.172    1.40   1.81600    46.6       32.30
29         46.924    1.05                         31.20
30         37.303    4.69   1.80810    22.8       31.30
31        420.501    3.37                         30.90
32        -76.047    1.40   1.88300    40.8       30.60
33        191.170   11.30                         30.40
34        -41.223    1.78   1.65160    58.5       26.67
35        580.472    3.52   1.80518    25.4       27.78
36       -156.414    6.46                         28.43
37       -103.332    5.71   1.70154    41.2       30.13
38        -53.979   10.53                         31.42
39       -216.194    4.49   1.50137    56.4       32.25
40        -43.973    0.74                         32.44
41        -72.585    1.30   1.88300    40.8       31.89
42         61.011    9.51   1.50137    56.4       32.28
43        -35.679    0.20                         33.06
44         96.272    8.69   1.49700    81.5       32.15
45        -31.822    1.70   1.88300    40.8       31.45
46       -176.143    2.14                         31.79
47         50.459    8.14   1.48749    70.2       31.95
48        -79.751    5.00                         31.49
49          ∞      33.00   1.60859    46.4       60.00
50          ∞      13.20   1.51633    64.2       60.00
51          ∞      18.00                         60.00
像面        ∞
非球面データ
第11面
K =-2.61129e+006  A 4= 1.14924e-006  A 6=-4.20242e-010  A 8= 7.06050e-012  A10= 1.71748e-014
A12=-3.95143e-018  A14=-2.50492e-020  A16= 2.74832e-023
A 3=-7.41007e-007  A 5=-2.86209e-008  A 7= 4.68402e-011  A 9=-6.67517e-013  A11=-2.87644e-016
A13= 1.44174e-018  A15=-1.26241e-021
第19面
K =-8.09196e+003  A 4= 2.70610e-007  A 6= 1.07566e-009  A 8=-3.82716e-014  A10=-1.89869e-016
A12= 1.74435e-020  A14=-2.31461e-023  A16= 5.87253e-027
A 3=-1.02923e-007  A 5=-2.58308e-008  A 7=-1.15844e-011  A 9= 3.14187e-015  A11= 2.64931e-018
A13= 8.56747e-022  A15=-2.81713e-025
第25面
K = 6.92275e+001  A 4=-4.53959e-007  A 6=-6.59771e-011  A 8=-3.55842e-013  A10=-1.48669e-016
A12= 8.98957e-020  A14= 6.50522e-022  A16= 1.24233e-026
A 3= 7.06566e-007  A 5=-1.77804e-008  A 7= 3.13155e-011  A 9= 8.81552e-016  A11=-1.46851e-017
A13= 1.62371e-021  A15=-1.37737e-023
各種データ
ズーム比     69.98 
広角     中間     望遠
焦点距離       8.60   348.30   601.79
Ｆナンバー     1.80     1.80     3.11
半画角        32.60     0.90     0.52
像高           5.50     5.50     5.50
レンズ全長   624.07   624.07   624.07
BF            52.17    52.17    52.17
d10            3.03   178.44   184.56
d17          279.71    41.05    15.69
d26            3.00    66.25    85.49
d33           11.30    11.30    11.30
入射瞳位置   126.14   3247.76   6438.93
射出瞳位置   141.46    141.46    141.46
前側主点位置 135.34   4578.71   9974.12
後側主点位置   9.40   -330.30   -583.79
ズームレンズ群データ
群  始面    焦点距離  レンズ構成長  前側主点位置  後側主点位置
1    1     248.14       110.88        64.60        -17.20
2   11     -27.25        28.28         3.76        -16.43
3   18      70.50        52.98        12.00        -25.30
41   27     -50.95        17.80        11.51         -2.55
42   34    -411.92        17.46       -49.56        -70.97
43   39      52.26        36.91        20.24         -4.47
5   49       ∞          46.20        14.58        -14.58
単レンズデータ
レンズ  始面  焦点距離
1       1   -516.86
2       3    715.59
3       5    714.36
4       7    651.06
5       9    651.23
6      11    -40.75
7      13    -35.70
8      14     39.99
9      16   -126.08
10      18    184.10
11      20    150.63
12      22   -136.36
13      23    121.45
14      25    390.18
15      28    -43.24
16      30     49.86
17      32    -61.11
18      34    -58.76
19      35    151.95
20      37    152.86
21      39    108.69
22      41    -37.15
23      42     46.24
24      44     49.09
25      45    -43.97
26      47     64.51
27      49      0.00
28      50      0.00
【００９２】
【表１】
2020096327.tif 000005
【００９３】
【表２】
2020096327.tif 000006
【００９４】
【表３】
2020096327.tif 000007
【００９５】
【表４】
2020096327.tif 000008
【００９６】
【表５】
2020096327.tif 000009
【００９７】
【表６】
2020096327.tif 000010
【００９８】
【表７】
2020096327.tif 000011
【図１】
2020096327.tif 000012
【図２】
2020096327.tif 000013
【図３】
2020096327.tif 000014
【図４】
2020096327.tif 000015
【図５】
2020096327.tif 000016
【図６】
2020096327.tif 000017
【図７】
2020096327.tif 000018
【図８】
2020096327.tif 000019
【図９】
2020096327.tif 000020
【図１０】
2020096327.tif 000021
【図１１】
2020096327.tif 000022
【図１２】
2020096327.tif 000023
【図１３】
2020096327.tif 000024